(57)【要約】【課題】プリンタの設定に適したデジタルカメラの設定をする。【解決手段】デジタルカメラ２は、可搬型記憶装置３を着脱可能に装着するための装着部２５と、装着部２５に装着された可搬型記憶装置３から、プリンタによって格納された情報を読み出すリーダ／ライタ２６と、読み出された情報に基づいて、デジタルカメラ２の撮影設定の設定値を定める撮影設定処理部２２とを備える。【選択図】  図３
2005045381.tif 000002
【特許請求の範囲】
【請求項１】
デジタルカメラであって、
可搬型記録装置を着脱可能に装着するための装着部と、
前記装着部に装着された可搬型記録装置から、印刷装置によって格納された情報を読み出す手段と、
前記読み出し手段が読み出した情報に基づいて、前記デジタルカメラの撮影設定の設定値を定める手段とを備えるデジタルカメラ。
【請求項２】
前記印刷装置によって前記可搬型記憶装置へ格納された情報は、前記印刷装置の印刷設定に関する情報である請求項１記載のデジタルカメラ。
【請求項３】
前記印刷設定に関する情報は、前記印刷装置で設定されている印刷用紙サイズおよび印刷画質を示す情報である請求項２記載のデジタルカメラ。
【請求項４】
前記設定値を定める手段は、前記読み出し手段が読み出した情報に基づいて前記デジタルカメラの記録画素数を定める請求項１記載のデジタルカメラ。
【請求項５】
前記印刷装置によって前記可搬型記録装置に格納された情報は、前記印刷装置の印刷設定の設定値に対応する記録画素数を示す情報であり、
前記撮影設定を定める手段は、前記記録画素数を示す情報に基づいて前記デジタルカメラの記録画素数を定める請求項１記載のデジタルカメラ。
【請求項６】
表示部と、
前記表示部に、前記可搬型記録装置に格納された情報に基づいて、前記デジタルカメラの撮影設定の設定値を定めるかを問い合わせる画面を表示させる表示制御部と、をさらに備える請求項１記載のデジタルカメラ。
【請求項７】
印刷設定に関する情報を記憶する記憶部と、
可搬型記録装置を着脱可能に装着するための装着部と、
前記装着部に装着された可搬型記録装置へ、前記記憶部に記憶されている印刷設定情報を書き込む書込手段と、を備える印刷装置。
【請求項８】
印刷設定の設定値を記憶する記憶部と、
可搬型記録装置を着脱可能に装着するための装着部と、
前記記憶部に記憶されている設定値に適したデジタルカメラの撮影設定に関する情報を、前記装着部に装着された可搬型記録装置へ書き込む書込手段と、を備える印刷装置。
【発明の詳細な説明】
【０００１】
【発明の属する技術分野】
本発明は、デジタルカメラおよび印刷装置に関する。
【０００２】
【従来の技術】
デジタルカメラで撮影した画像をプリンタで印刷するユーザは多い。ここで、デジタルカメラおよびプリンタの双方とも、機能面でのバリエーションは豊富で、一般ユーザ向けの低機能ないし中機能機種から、プロフェッショナル向けまたは業務用の高機能機種まである。特に、デジタルカメラは、一般ユーザ向けの機種であっても、かなりの高解像度の画像を撮影することができる。
【０００３】
【発明が解決しようとする課題】
印刷装置、例えばプリンタでは、印刷するための種々のパラメータが設定されている。例えば、印刷用紙の大きさは「Ａ４」、印刷品質は「高」などと設定されている。ここで、プリンタで印刷するときの画像の大きさ、印刷品質などが定まると、それに適した画像の解像度（記録画素数）というものが概ね定まる。
【０００４】
しかし、上で述べたように、デジタルカメラおよびプリンタの双方共に機種が多様なので、ミスマッチが起きやすい。
【０００５】
ユーザがデジタルカメラで撮影をする際、撮影した画像をどのくらいの大きさに印刷するかなどは、ある程度想定している場合が多い。従って、撮影前に適切な解像度は概ね定まっているのであるが、ユーザが撮影を行うときに適切な記録画素数を知ることは難しい。また、適切な記録画素数を知ったときでも、デジタルカメラを操作して、設定値を変更するのも面倒である。
【０００６】
そこで、本発明の目的は、印刷装置の設定に適したデジタルカメラの設定をするための技術を提供することである。
【０００７】
【課題を解決するための手段】
本発明の一つの実施態様に従うデジタルカメラは、可搬型記録装置を着脱可能に装着するための装着部と、前記装着部に装着された可搬型記録装置から、印刷装置によって格納された情報を読み出す手段と、前記読み出し手段が読み出した情報に基づいて、前記デジタルカメラの撮影設定の設定値を定める手段とを備える。
【０００８】
これにより、デジタルカメラは印刷装置からの情報に基づいて印刷設定を行うことができる。
【０００９】
好適な実施形態では、前記印刷装置によって前記可搬型記憶装置へ格納された情報は、前記印刷装置の印刷設定に関する情報であってもよい。さらに好適な実施形態では、前記印刷設定に関する情報は、前記印刷装置で設定されている印刷用紙サイズおよび印刷画質を示す情報であってもよい。
【００１０】
これにより、デジタルカメラは印刷装置で設定されている印刷設定を取得して、これに対応する設定をすることができる。
【００１１】
好適な実施形態では、前記設定値を定める手段は、前記読み出し手段が読み出した情報に基づいて前記デジタルカメラの記録画素数を定める構成とすることもできる。
【００１２】
これにより、デジタルカメラは印刷装置で設定されている印刷設定に対応する記録画素数を設定することが可能となる。
【００１３】
好適な実施形態では、前記印刷装置によって前記可搬型記録装置に格納された情報は、前記印刷装置の印刷設定の設定値に対応する記録画素数を示す情報である。そして、前記撮影設定を定める手段は、前記記録画素数を示す情報に基づいて前記デジタルカメラの記録画素数を定めるようにしてもよい。
【００１４】
これにより、デジタルカメラは印刷装置で設定されている印刷設定に対応する記録画素数を設定することができる。
【００１５】
好適な実施形態では、表示部と、前記表示部に、前記可搬型記録装置に格納された情報に基づいて、前記デジタルカメラの撮影設定の設定値を定めるかを問い合わせる画面を表示させる表示制御部と、をさらに備えてもよい。
【００１６】
これにより、ユーザの意思により印刷装置の印刷設定と適合する撮影設定をすることができる。
【００１７】
本発明の一つの実施態様に従う印刷装置は、印刷設定に関する情報を記憶する記憶部と、可搬型記録装置を着脱可能に装着するための装着部と、前記装着部に装着された可搬型記録装置へ、前記記憶部に記憶されている印刷設定情報を書き込む書込手段と、を備える。
【００１８】
これにより、可搬型記憶装置を介して、デジタルカメラへ印刷装置の印刷設定情報を渡すことができる。
【００１９】
本発明の一つの実施態様に従う印刷装置は、印刷設定の設定値を記憶する記憶部と、可搬型記録装置を着脱可能に装着するための装着部と、前記記憶部に記憶されている設定値に適したデジタルカメラの撮影設定に関する情報を、前記装着部に装着された可搬型記録装置へ書き込む書込手段と、を備える。
【００２０】
これにより、可搬型記憶装置を介して、印刷装置の印刷設定に適した撮影設定に関する情報をデジタルカメラへ渡すことができる。
【００２１】
【発明の実施の形態】
以下、本発明の一実施形態に係るプリンタおよびデジタルカメラについて、図面を用いて説明する。本実施形態に係るプリンタおよびデジタルカメラは、プリンタで設定されている印刷設定に基づいて、デジタルカメラの設定を行うためのものである。
【００２２】
図１は、本発明の第１の実施形態に係るプリンタの機能構成を示す図である。プリンタ１は、同図に示すように、印刷を行う印刷機構１０と、印刷機構１０を制御して印刷を実行させるプリンタ制御部１１と、可搬型記憶装置３を着脱可能に装着するための装着部１５と、装着部１５に装着されている可搬型記憶装置３にアクセスして、可搬型記憶装置３内のデータの読み書きを行うリーダ／ライタ１６と、液晶パネルなどの表示部と操作ボタンとを含む操作パネル１９とを備える。
【００２３】
印刷機構１０は、例えば、印刷ヘッド、紙送り機構、これらを制御する制御回路（いずれも図示しない）などを備え、印刷制御部１１から送られた印刷コマンドに基づいて印刷を実行する。
【００２４】
装着部１５には、可搬型記憶装置３が着脱可能に装着される。可搬型記憶装置３は、データを記憶するための記憶素子を有する。記憶素子には、書き替え可能、かつ不揮発性のものが用いられる。例えば、フラッシュメモリなどの記憶素子により構成することができる。可搬型記憶装置３には、次に説明するデジタルカメラにも装着可能なものが用いられる。可搬型記憶装置３は、デジタルカメラで撮影した画像データを記憶する画像領域と、デジタルカメラの撮影設定をするための設定情報を記憶する設定領域とを有する。
【００２５】
リーダ／ライタ１６が、プリンタ制御部１１の指示に基づいて、装着部１５に装着されている可搬型記憶装置３に記憶されているデータを読み出し、あるいは可搬型記憶装置３へデータを書き込む。例えば、リーダ／ライタ１６は、印刷制御部１１からの指示に基づいて、画像領域に記憶されている画像データファイルを読み出し、設定領域に設定情報を書き込む。
【００２６】
プリンタ制御部１１は、例えば、各種プログラムを実行するためのプロセッサ、プログラムおよびデータを記録するためのメモリ（いずれも図示しない）などを備える。プリンタ制御部１１が所定のプログラムを実行することにより、印刷設定に関する処理を行う印刷設定処理部１２と、印刷機構１０が印刷を行うときの設定を記憶する印刷設定記憶部１３と、印刷設定とデジタルカメラでの撮影設定とを対応付けて記憶する設定対応記憶部１４と、操作パネル１９を制御する操作パネル制御部１７とを実現する。
【００２７】
例えば、本実施形態では、プリンタ制御部１１は、メモリ３に格納されている画像データファイルを取り込み、その画像を印刷するために、印刷設定記憶部１３に記憶されている印刷設定に基づいた印刷コマンドを生成し、印刷機構１０に印刷をさせる。
【００２８】
印刷設定記憶部１３に記憶される印刷設定の項目としては、例えば、印刷用紙のサイズ、印刷用紙の種類、印刷品質（画質）、白黒印刷であるかまたはカラー印刷であるかを示す情報、印刷部数などがある。各設定項目について、それぞれの設定値が印刷設定記憶部１３に記憶されている。各設定値は、プリンタ１に接続されているホスト装置（図示しない）、または操作パネル１９などから、ユーザの操作を受け付けることによって設定または変更することが可能である。
【００２９】
設定対応記憶部１４は、プリンタ１で設定可能な印刷設定の設定値と、デジタルカメラで撮影するときの撮影設定の設定値とを対応付けて記憶する。例えば、設定対応記憶部１４のデータ項目の一例を図２に示す。設定対応記憶部１４は、例えば、図２に示すように、印刷設定１４１と、印刷設定に適合する撮影設定１４２とが対応付けて記憶されている。印刷設定１４１には、印刷用紙サイズ１４３と、印刷品質１４４と、カラー印刷であるか白黒印刷であるかを示すカラー／白黒区分１４５とを含み、撮影設定１４２には、デジタルカメラでの撮影時の記録画素数１４６を含む。
【００３０】
つまり、設定対応記憶部１４には、ある印刷用紙サイズ、印刷品質、カラー／白黒区分の組み合わせで印刷を行うときに、それに適した画像データの記録画素数を記憶している。これは、プリンタ１で印刷するときの用紙サイズ、印刷品質などに応じて、印刷する画像データの適正な画素数の範囲がある程度定まるからである。つまり、例えばＡ４サイズ、中程度の印刷品質で印刷する場合、画素数が一定数よりも多くなると仕上がりの美しさにはそれほど差が生じなくなる一方、却ってインク消費量が増え、かつ印刷時間がかかるという問題が生じる。このため、設定対応記憶部１４には、印刷設定に適した記録画素数を予め対させて記憶させておく。
【００３１】
印刷設定処理部１２は、デジタルカメラの撮影設定のための設定情報をリーダ／ライタ１６を介して可搬型記憶装置３へ格納する。例えば、印刷設定処理部１２は、印刷設定記憶部１３に記憶されている印刷設定の設定値を取得し、これと対応する記録画素数１４６を設定対応記憶部１４から取得し、設定情報として可搬型記憶装置３へ書き込むようにしてもよい。あるいは、印刷設定処理部１２は、印刷設定記憶部１３から印刷設定の設定値を取得して、これをそのまま設定情報として可搬型記憶装置３へ書き込んでもよい。なお、この場合、プリンタ２は設定対応記憶部１４を保持していなくてもよい。
【００３２】
また、印刷設定処理部１２は、印刷設定の各設定項目の設定値を印刷設定記憶部１３に設定する。例えば、ユーザがプリンタ１に接続されているホスト装置（図示しない）、または操作パネル制御部１７が制御する操作パネル１９に対して印刷設定をするための操作を行うと、印刷設定処理部１２はその通知を受けて印刷設定記憶部１３に設定値を設定し、あるいは、すでに設定されている設定値を更新する。
【００３３】
なお、可搬型記憶装置３への印刷設定情報の書き込みタイミングは、例えば、可搬型記憶装置３が装着部１５に装着されたとき、可搬型記憶装置３が装着部１５からはずされるとき、印刷設定が変更されたとき、プリンタ２が印刷を実行するときなど、任意のタイミングでよい。さらに、操作パネル１９から、印刷設定情報を可搬型記憶装置３へ格納するよう指示を受けたときに行ってもよい。
【００３４】
次に、本発明の第１の実施形態に係るデジタルカメラの機能構成を図３に示す。同図に示すように、デジタルカメラ２は、実際に画像の撮影を行う撮影機構２０と、撮影機構２０を制御するカメラ制御部２１と、可搬型記憶装置３を着脱可能に装着するための装着部２５と、装着部２５に装着されている可搬型記憶装置３にアクセスして、可搬型記憶装置３内のデータの読み書きを行うリーダ／ライタ２６と、操作ボタン２８と、液晶表示装置などの表示部２９とを備える。
【００３５】
撮影機構２０は、例えば、レンズ、ＣＣＤ（Ｃｈａｒｇｅｄ  Ｃｏｕｐｌｅｄ  Ｄｅｖｉｃｅ）などの撮像素子、メモリ（いずれも図示しない）などを備え、カメラ制御部２１からの指示に基づいて、撮影を行う。例えば、撮影機構２０は、撮影設定記憶部２３に記憶されている設定値に従って撮影を行う。
【００３６】
装着部２５には、可搬型記憶装置３が着脱可能に装着される。リーダ／ライタ２６が、カメラ制御部２１の指示に基づいて、装着部２５に装着されている可搬型記憶装置３に記憶されているデータを読み出し、あるいは可搬型記憶装置３へデータを書き込む。例えば、リーダ／ライタ２６は、プリンタ１によって可搬型記憶装置３の設定領域に格納された設定情報を読み出す。さらに、撮影機構２０が撮影した画像データのファイルを、メモリ３の画像領域へ所定のフォーマットで格納する。
【００３７】
カメラ制御部２１は、例えば、各種プログラムを実行するためのプロセッサ、プログラムおよびデータを記録するためのメモリ（いずれも図示しない）などを備える。カメラ制御部２１は、撮影設定記憶部２３に記憶されている撮影設定に基づいて撮影を行うよう、撮影機構２０を制御する。
【００３８】
カメラ制御部２１は、所定のプログラムを実行して、撮影設定に関する処理を行う撮影設定処理部２２と、撮影機構２０が撮影を行うときの設定を記憶する撮影設定記憶部２３と、プリンタの印刷設定と撮影設定とを対応付けて記憶する設定対応記憶部２４と、表示部２９に後述の画面などを表示させ、それに対する操作ボタン等の操作部２８による入力などを受け付ける表示制御部２７とを実現する。
【００３９】
撮影設定記憶部２３には、例えば、撮影設定として記録画素数（撮影画素数）が記憶されている。撮影機構２０が画像を撮影すると、撮像素子１つが撮影された画像の１画素に相当する。従って、記録画素数は、撮影機構２０が有する撮像素子のうち、どれだけの撮像素子を用いて撮像するかを定める。設定値として設定可能な記録画素数は、予め用意されている複数の画素数（設定値）の中から選択して設定される。例えば、最大約４００万画素の撮影能力があるときに、記録画素数の設定値は約４００万画素、約２００万画素、約１００万画素、約１０万画素が予め用意されていて、その中から選択して設定されるようにしてもよい。
【００４０】
設定対応記憶部２４は、プリンタ１の印刷設定の設定値と、デジタルカメラ２で撮影するときの撮影設定の設定値とを対応付けて記憶する。設定対応記憶部２４は、例えば、すでに説明したプリンタ１の設定対応記憶部１４と同一でもよい。
【００４１】
撮影設定処理部２２は、リーダ／ライタ２６を介して可搬型記憶装置３からプリンタ２によって格納された設定情報を読み出す。そして、撮影設定処理部２２は、読み出された設定情報に基づいてデジタルカメラ２の撮影設定を行い、設定値を定める。例えば、撮影設定処理部２２は、設定情報に基づいて記録画素数を定める。
【００４２】
ここで、プリンタ１が格納した設定情報が記録画素数であれば、撮影設定処理部２２は、この記録画素数をそのまま撮影設定記憶部２３に設定してもよい。あるいは、プリンタ１が格納した記録画素数を、デジタルカメラ２が設定値として予め用意している記憶画素数の中の近い値に変換してから撮影設定記憶部２３へ設定してもよい。なお、この場合、デジタルカメラ２は、設定対応記憶部２４を保持していなくてもよい。
【００４３】
また、プリンタ１で格納された設定情報が、用紙サイズ、印刷品質、白黒印刷またはカラー印刷であるかなどの印刷設定に関する情報であるときは、撮影設定処理部２２は、設定対応記憶部２４を参照して、この印刷設定に適した記憶画素数に変換してから撮影設定記憶部２３に設定してもよい。
【００４４】
なお、この撮影設定のための処理は、装着部２５に可搬型記憶装置３が装着されたことが検出されたときに行ってもよいし、デジタルカメラ２の図示しない操作ボタンなどがユーザから所定の操作を受け付けたときに行うこともできる。
【００４５】
また、表示制御部２７が図４に示すような確認画面１００を表示部２９に表示させて、記録画素数の設定をプリンタの設定に適合させるか否かユーザに選択させてもよい。確認画面１００は、可搬型記憶装置３が装着部２５に装着されたことが検出されたときに表示されるようにしてもよいし、可搬型記憶装置３から新たに取り込んだ設定情報により、撮影設定処理部２２が現在の印刷設定を変更する必要があると判定したときに表示させるようにしてもよい。
【００４６】
さらに、撮影設定は、デジタルカメラ２のユーザが、プリンタ１の印刷設定とは独立に、マニュアルで設定することができる。例えば、記録画素数をマニュアルで設定する場合、撮影設定処理部２２は、表示部２９に表示されるメニュー画面などから指定された記録画素数を撮影設定記憶部２３へ格納するようにしてもよい。
【００４７】
また、デジタルカメラ２では、撮影設定が常にプリンタ１の印刷設定に対応するように自動的に設定が変わる自動モードと、ユーザがマニュアルで設定するマニュアルモードとを切り換え可能としてもよい。ここで、モードを選択するための選択画面２００の例を図５に示す。この選択画面２００が表示部２９に表示され、ユーザが操作ボタン２８を操作していずれかのモードが選択されると、撮影設定処理部２２が選択されたモードに切り換えて撮影設定を管理する。
【００４８】
次に、上で説明したプリンタ１およびデジタルカメラ２を用いて、プリンタ１の印刷設定に基づいて、デジタルカメラ２の撮影設定を行うときの手順を、図６に示すフローチャートを用いて説明する。
【００４９】
まず、可搬型記憶装置３が可搬型記憶装置装着部１５へ装着される（Ｓ１１）。このとき、プリンタ１は、上述の通り、印刷設定記憶部１３に記憶されている印刷設定に対応した設定情報を可搬型記憶装置３に格納する（Ｓ１２）。ステップＳ１２は、可搬型記憶装置３が装着部１５に装着されると自動的に行われるようにしてもよいし、ユーザがプリンタ１またはプリンタに接続されているホスト装置（図示しない）に対して所定の操作を行うことによって行われるようにしてもよい。
【００５０】
次に、プリンタ１から取り外された可搬型記憶装置３は、デジタルカメラ２の可搬型記憶装置装着部２５へ装着される（Ｓ１３）。そして、リーダ／ライタ２６が、可搬型記憶装置３から設定情報を読み出し（Ｓ１４）、撮影設定処理部２２が、設定情報に基づいて撮影設定の設定値である記録画素数を定め、撮影設定記憶部２３に設定する（Ｓ１５）。これにより、デジタルカメラ２は、プリンタ１から取り込んだ情報に基づいて、プリンタ１の印刷設定に適した設定を行うことができる。
【００５１】
この後、ユーザは、デジタルカメラ２を用いて撮影を行うと、ここで設定された撮影設定に従って画像データファイルが生成されて、可搬型記憶装置３に格納される。この画像データファイルは、プリンタ１の印刷設定に適した設定で撮影されたものであるから、この可搬型記憶装置３を再びプリンタの装着部１５へ挿入してその画像データを印刷すれば、画像データと印刷設定との組み合わせが適当で、効率的な印刷ができる。
【００５２】
次に、本発明の第２の実施形態について説明する。本実施形態に係るプリンタ１およびデジタルカメラの構成を図７に示す。第１の実施形態では可搬型記憶装置３を介して情報の受け渡しを行っていたが、本実施形態ではプリンタ１とデジタルカメラ２との間で双方向通信を行って、データを送受信する。なお、以下の説明では第１の実施形態と異なる機能ないし構成について主に説明し、第１の実施形態と同一の機能ないし構成については同一の符号を付して説明を省略する場合がある。
【００５３】
第２の実施形態では、プリンタ１は、印刷機構１０と、プリンタ制御部１１と、操作パネル１９と、デジタルカメラ２と通信をするための通信制御部３１と、デジタルカメラ２と接続するためのケーブル９のコネクタ３２とを備える。プリンタ制御部１１内の印刷設定処理部１２、印刷設定記憶部１３、設定対応記憶部１４および操作パネル制御部１７は図示を省略した。デジタルカメラ２は、撮影機構２０と、カメラ制御部２１と、操作ボタン２８と、表示部２９と、プリンタ１と通信をするための通信制御部３３と、プリンタ１と接続するためのケーブル９のコネクタ３４とを備える。カメラ制御部２１内の撮影設定処理部２２、撮影設定記憶部２３、設定対応記憶部２４および表示制御部２７は図示を省略した。コネクタ３２，３４にはそれぞれケーブル９が差し込まれていて、ケーブル９によりプリンタ１とデジタルカメラ２とが接続されている。
【００５４】
本実施形態では、第１の実施形態では可搬型記憶装置３を用いて受け渡しをしていた設定情報および画像データファイルを、ケーブル９を介したデータ通信により受け渡しをする。これにより、第１の実施形態と同様に、デジタルカメラ２は、プリンタ１から撮影設定のための設定情報を取得し、プリンタ１の印刷設定に適した撮影設定をすることできる。
【００５５】
なお、ここではケーブル９を介した有線通信の例を示したが、無線通信でデータを送受信してもよい。さらに、プリンタ１およびデジタルカメラ２は、いずれも、データの受け渡し手段として、第１の実施形態の可搬型記憶装置３を用いるための構成、および第２の実施形態の通信によるための構成の双方を備えてもよい。
【００５６】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【図面の簡単な説明】
【図１】本発明の第１の実施形態に係るプリンタの機能構成を示す図である。
【図２】設定対応記憶部１４のデータ項目の一例を示す図である。
【図３】本発明の第２の実施形態に係るデジタルカメラの機能構成を示す図である。
【図４】撮影設定の確認画面の一例を示す図である。
【図５】モード選択画面の一例を示す図である。
【図６】デジタルカメラの撮影設定を行うための手順を示すフローチャートである。
【図７】本発明の第２の実施形態に係るプリンタおよびデジタルカメラの機能構成を示す図である。
【符号の説明】
１…プリンタ、２…デジタルカメラ、３…可搬型記憶装置、１０…印刷機構、１１…プリンタ制御部、１５、２５…装着部、１６、２６…リーダ／ライタ、１９…操作パネル、２０…撮影機構、２１…カメラ制御部、２８…操作ボタン、２９…表示部。
【図１】
2005045381.tif 000003
【図２】
2005045381.tif 000004
【図３】
2005045381.tif 000005
【図４】
2005045381.tif 000006
【図５】
2005045381.tif 000007
【図６】
2005045381.tif 000008
【図７】
2005045381.tif 000009